(57)【要約】      （修正有）【課題】軽量化と構造的強度の向上を両立させ、かつ継手部材の交換が可能なプレキャストコンクリート製水路の設置構造を提供する。【解決手段】水路ブロック１の基礎部に軽量の沈下防止基礎ブロック１５を一体に設けるとともに、水路ブロックを水路延長方向に複数区間Ｌに分け、各区間内の水路ブロック間は止水性の弾性変形可能な継手６により、各区間Ｌの端部の水路ブロック間は止水性の可撓性継手９によって夫々連結する。弾性変形可能な継手６は細長いエラストマー系の防水シートからなり、交換可能に、継手の両側端縁を水路ブロックの水路内面の接続部端縁に装着する。また可撓性継手９は、１００ｍｍ以上の沈下対応型の可撓性ゴム材からなり、交換可能に、水路ブロックの接続部端縁に押さえ版を介してアンカーボルトに螺合したボルト締めで固定する後施工型の継手構造とする。【選択図】図２
0003189812.tif 000002
【実用新案登録請求の範囲】
【請求項１】
プレキャストコンクリート製の水路ブロックを連続して並べて延長し、前記水路ブロックの接続部間を連結して軟弱地盤に水路を形成する水路の設置構造であって、前記水路ブロックの基礎部に、前記水路ブロックと一体化した軽量の沈下防止基礎ブロックを設置するとゝもに、前記水路ブロックを水路延長方向に複数区間に分け、各区間内の水路ブロック間は止水性の弾性変形可能な継手により、各区間の端部の水路ブロック間は止水性の可撓性継手により夫々連結したことを特徴とするコンクリート製水路の設置構造。
【請求項２】
前記水路ブロックの基礎部に設置した前記軽量の沈下防止基礎ブロックが、前記水路ブロックの左右外側に装着した固定材の間に設置され、前記水路ブロックと前記沈下防止基礎ブロックとを前記固定材を介して一体化したことを特徴とする請求項１記載のコンクリート製水路の設置構造。
【請求項３】
プレキャストコンクリート製の水路ブロックを連続して並べて延長し、前記水路ブロックの接続部間を連結して軟弱地盤に水路を形成する水路の設置構造であって、前記水路ブロックが、底版部を突き合わせて配設した左右一対のＬ字型又は逆さＴ字型の水路ブロック構成材と、前記底版部の突き合わせ間に前記底版部先端から突出する突き出し筋を介し現場打ちコンクリートにより形成した底壁部とから構成され、前記底壁部の形成前に現場打ち軽量モルタルにより前記底壁部の下部に前記水路ブロックと一体化した軽量の沈下防止基礎版を形成するとゝもに、前記水路ブロックを水路延長方向に複数区間に分け、各区間内の水路ブロック間は止水性の弾性変形可能な継手により、各区間の端部の水路ブロック間は止水性の可撓性継手によって夫々連結したことを特徴とするコンクリート製水路の設置構造。
【請求項４】
前記水路ブロックの底壁部下部に形成した前記沈下防止基礎版が、前記水路ブロックの左右外側に装着した固定材の間に形成され、前記水路ブロックと前記沈下防止基礎版とを前記固定材を介して一体に形成したことを特徴とする請求項３記載のコンクリート製水路の設置構造。
【請求項５】
前記止水性の弾性変形可能な継手が細長いエラストマー系の防水シートからなり、交換可能に、前記継手の両側端縁を前記水路ブロックの水路内面の接続部端縁に装着したことを特徴とする請求項１，２，３又は４記載のコンクリート製水路の設置構造。
【請求項６】
前記止水性の可撓性継手が 100mm以上の沈下対応型の可撓性ゴム材からなり、交換可能に、前記水路ブロックの接続部端縁に押さえ版を介してアンカーボルトに螺合したボルト締めで固定する後施工型の継手構造としたことを特徴とする請求項１，２，３，４又は５記載のコンクリート製水路の設置構造。
【考案の詳細な説明】
【技術分野】
【０００１】
本考案は、プレキャストコンクリート製水路の設置構造に関し、詳しくは、軟弱地盤上
に水路を構築する際に、コンクリート製の水路ブロックを用い又は水路ブロック構成材と現場打ちコンクリートとで水路を形成するコンクリート製水路の設置構造に関する。
【背景技術】
【０００２】
軟弱地盤に構築した水路、暗渠及びマンホール等のコンクリート構造物は、地盤の変状によって沈下や隆起が生じることがある。特に軟弱地盤上に連続して敷設される水路のような場合、不同沈下が生じるとその機能を大きく損なってしまうことになりかねない。プレキャスト製品では、特に継手部に損傷を生じる場合が多く、漏水等の原因になる。
【０００３】
通常、不同沈下に対応するための対策として、流れ方向に連結止水材で多数に区分分けしする提案（特許文献１）、軽量コンクリートを用いて死荷重を軽減する提案（特許文献２）又はコンクリート構造体と盛土との隣接上に伸縮可能な連結補強体を敷設する（特許文献３）などの提案がされている。
【先行技術文献】
【特許文献】
【０００４】
【特許文献１】特開２０１２- ９７４２４号公報
【特許文献２】特開平１１- ３５０４５８号公報
【特許文献３】特公平６- ９９８８２号公報
【０００５】
しかし、軟弱地盤上のコンクリート構造物では、連結止水材や連結補強体といった単独の手段に依存した不同沈下対策では限界がある。また、コンクリート自体の軽量化をはかれば構造的な強度面で不利になり、断面を厚くしなければならなくなる。
【０００６】
コンクリート製の水路は重量が重く沈下が生じやすいから、基礎地盤とプレキャストコ
ンクリート製の水路ブロックと継手の各部材を関係付けながら、可能なかぎり死荷重を軽減しつつ不同沈下に対応可能な継手を設置した構造とすることが望ましい。すなわち、荷重低減化手段を加えて沈下を防止することと、可撓継手ないし伸縮性継手を適宜配して対応することを組み合わせることが合理的である。
【考案の概要】
【考案が解決しようとする課題】
【０００７】
本考案は、前記従来技術の有する問題点を解消するため、特に軟弱地盤に設置するプレ
キャストコンクリート製の水路ブロックと軽量部材からなる基礎部を一体に設け、それぞれの水路ユニットを互いに縁切りし、低い撓み性を有する継手と高い撓み性を有する継手を合理的に組合せ、かつ継手部材を交換可能に装着したプレキャストコンクリート製水路の設置構造を提案するものである。
【課題を解決するための手段】
【０００８】
上記の目的を達成するため、本願の請求項１に係る考案は、プレキャストコンクリート
製の水路ブロックを連続して並べて延長し、前記水路ブロックの接続部間を連結して軟弱地盤に水路を形成する水路の設置構造であって、前記水路ブロックの基礎部に、前記水路ブロックと一体化した軽量の沈下防止基礎ブロックを設置するとゝもに、前記水路ブロックを水路延長方向に複数区間に分け、各区間内の水路ブロック間は止水性の弾性変形可能な継手により、各区間の端部の水路ブロック間は止水性の可撓性継手によりそれぞれ連結したことを特徴とするコンクリート製水路の設置構造である。
【０００９】
また、本願の請求項２に係る考案では、前記水路ブロックの基礎部に設置した前記軽量の沈下防止基礎ブロックが、前記水路ブロックの左右外側に装着した固定材の間に設置され、前記水路ブロックと前記沈下防止基礎ブロックとを前記固定材を介して一体化したことを特徴とする請求項１記載のコンクリート製水路の設置構造である。
【００１０】
また、本願の請求項３に係る考案は、プレキャストコンクリート製の水路ブロックを連
続して並べて延長し、前記水路ブロックの接続部間を連結して軟弱地盤に水路を形成する水路の設置構造であって、前記水路ブロックが、底版部を突き合わせて配設した左右一対のＬ字型又は逆さＴ字型の水路ブロック構成材と、前記底版部の突き合わせ間に前記底版部先端から突出する突き出し筋を介し現場打ちコンクリートにより形成した底壁部とから構成され、前記底壁部の形成前に現場打ち軽量モルタルにより前記底壁部の下部に前記水路ブロックと一体化した軽量の沈下防止基礎版を形成するとゝもに、前記水路ブロックを水路延長方向に複数区間に分け、各区間内の水路ブロック間は止水性の弾性変形可能な継手により、各区間の端部の水路ブロック間は止水性の可撓性継手によってそれぞれ連結したことを特徴とするコンクリート製水路の設置構造である。
【００１１】
また、本願の請求項４に係る考案は、前記水路ブロックの底壁部下部に形成した前記沈下防止基礎版が、前記水路ブロックの左右外側に装着した固定材の間に形成され、前記水路ブロックと前記沈下防止基礎版とを前記固定材を介して一体に形成したことを特徴とする請求項３記載のコンクリート製水路の設置構造である。
【００１２】
また、本願の請求項５に係る考案は、前記止水性の弾性変形可能な継手が細長いエラス
トマー系の防水シートからなり、交換可能に、前記継手の両側端縁を前記水路ブロックの水路内面の接続部端縁に固定したことを特徴とする請求項１，２，３又は４記載のコンクリート製水路の設置構造である。
【００１３】
また、本願の請求項６に係る考案は、前記止水性の可撓性継手が 100mm以上の沈下対応
型の可撓性ゴム材からなり、交換可能に、前記水路ブロックの接続部端縁に押さえ版を介してアンカーボルトに螺合したボルト締めで固定する後施工型の継手としたことを特徴とする請求項１，２，３，４又は５記載のコンクリート製水路の設置構造である。
【考案の効果】
【００１４】
すなわち、本願の考案では、プレキャストコンクリート製の水路ブロックを連続して並べて延長し、前記水路ブロックの接続部間を連結して埋め立て地等の軟弱地盤に水路を形成する水路の設置構造であって、前記水路の基礎部に軽量の沈下防止基礎ブロックを一体に設けるとゝもに、前記水路ブロックを水路延長方向に複数区間に分け、各区間内の水路ブロック間は止水性の弾性変形可能な継手により、各区間の端部の水路ブロック間は止水性の可撓性継手によって夫々連結したことを特徴とするコンクリート製水路の設置構造であるから、重量が重いプレキャストコンクリート製水路を軟弱地盤上での荷重軽減をはかることが期待できるとゝもに、地盤変位を軽減し、かつ水路ブロックを複数含む一定間隔で、地盤の大きな変位を合理的に吸収することができる。
【００１５】
また、本願の考案では、前記水路の基礎部に設けた前記沈下防止基礎ブロック又は水路ブロックの下部に形成した前記沈下防止基礎版が、前記水路の左右外側に装着した固定材間に位置し、前記水路と前記沈下防止基礎ブロック又は沈下防止基礎版とを一体化したことを特徴とする構成としたことから、現場の諸条件に合わせて沈下防止基礎ブロック又は沈下防止基礎版の浮力を効率よく受けるようにすることができ、水路が安定することになる。
【００１６】
また、前記プレキャストコンクリート製の水路ブロックが、左右一対のＬ字型または逆さＴ字型の水路ブロック構成材をその底版部を突き合わせて配設し、該底版部の突き合わせ間に、前記水路ブロック構成材の底版部先端から突出する突き出し筋を介して現場打ちコンクリートによる底壁部を形成する前に、前記底版部の突き合わせ間から軽量モルタルを打設して前記底壁部の下部に沈下防止基礎版を形成するとゝもに、前記水路ブロックを水路延長方向に複数区間に分け、各区間内の水路ブロック間は止水性の弾性変形可能な継手により、各区間の端部の水路ブロック間は止水性の可撓性継手によって夫々連結したことを特徴とするコンクリート製水路の設置構造としたことから、前記効果を備えつつ、必要な通水断面を有した水路を任意に設置できる。
【００１７】
また、前記止水性の弾性変形可能な継手が細長いエラストマー系の防水シート材からなり、交換可能に前記水路ブロックの水路内面の接続部端縁に固定した構成としたので、水路内面からの施工が容易であり、かつ交換も可能である。
【００１８】
また、前記止水性の可撓性継手が 100mm以上の沈下対応型の可撓性ゴム材からなり、前記水路ブロックの接続部端縁に押さえ版を介してアンカーボルトに螺合したボルト締めで固定する後施工型の継手とした交換可能な構成としたものであるから、一定の間隔で大きな変位にも追従できるようかつ合理的に効果を制御できる。
【図面の簡単な説明】
【００１９】
【図１】本考案で使用するプレキャストコンクリート製のＵ字型水路ブロックの斜視図である。
【図２】図１に示す水路ブロック間を継手で連結して形成した水路と、該水路の両側に装着する固定材の斜視図である。
【図３】本考案に係るコンクリート製水路の設置構造の断面図である。
【図４】本考案で使用する止水性の弾性変形可能な継手を水路ブロックの接続部間に設置した状態を示す拡大断面部分図である。
【図５】本考案で使用する止水性の可撓性継手を水路ブロックの接続部間に設置した状態を示す拡大断面部分図である。
【図６】本考案で使用するプレキャストコンクリート製のＬ字型の水路ブロック構成材（第２実施例）の斜視図である。
【図７】第２実施例のコンクリート製の水路ブロック構成材で形成したコンクリート製水路の設置構造断面図である。
【考案を実施するための形態】
【実施例】
【００２０】
以下、本考案を図面に示す実施例により詳細に説明する。図１乃至図５において、１はプレキャストコンクリート製の水路ブロックで、ほぼ垂直に起立する両側壁部２，２と、該両側壁部２，２をその下端部で連結した底壁部３とからなるＵ字型の水路ブロックである。４は水路ブロック１を前後（水路の延長方向）に連結して水路１Ａを形成する際の接続部端面で、５は前記両水路ブロック１，１の接続部端面４，４間に設置した目地シールである。
【００２１】
６は前記両水路ブロック１，１を前後に連結する際、その接続部端面４，４間に跨がって水路内面側に設置した止水性の弾性変形可能な継手で、図２乃至図４に示すように、エラストマー系の細長い防水シート材で形成されており、弾性変形する前記継手６の両側端縁は、前記両水路ブロック１，１の接続部端縁にプラスチック−鋼の積層版７，７を介してボルト８締めにより固定されている。
【００２２】
９は前記止水性の弾性変形可能な継手６と同様に、前記両水路ブロック１，１を前後に連結する際、その接続部端面４，４間に跨がって水路内面又は水路外面に設置した止水性の可撓性継手で、断面波型に成形したゴム材で形成されており、図５に示すように、その両側端縁９Ａ，９Ａをインサートボルト１０に押さえ版を介して螺合したナット１１によりて固定されている。
【００２３】
１２はプレキャストコンクリート製の固定材で、水平部１２Ａと垂下部１２Ｂとからなる逆さＬ字型のものであり、前記垂下部１２Ｂの上部に形成した横孔１２Ｃにボルト１３を挿入し、該ボルト１３を前記水路ブロック１，１を前後に連結して形成される水路１Ａにあってその左右（水路幅方向）外側に設けたインサート１４に螺合せしめ、ボルト１３を締め付けることで、前記固定材１２，１２を水路ブロック１の側壁部２の左右外側にそれぞれ固定したものである。
【００２４】
１５は軽量モルタル等で形成した沈下防止基礎ブロックで、軟弱地盤Ｇの上に水路ブロック１を敷設する際その基礎部に設置するもので、設置時においてその天面１５Ａは前記水路ブロック１の底壁部３下面で、左右の側壁面１５Ｂ，１５Ｂは前記水路ブロック１の側壁部外側面に固定した前記固定材１２，１２の垂下部１２Ｂ，１２Ｂ内面でそれぞれ囲まれて一体化した状態で設置される。
【００２５】
つぎに、上記図１乃至図５に示す各構成材により、軟弱地盤Ｇの上に水路ブロック１，１を水路延長方向に連続して並べ、前記水路ブロック１，１の接続部間を連結して水路１Ａを形成する方法について以下に説明すると、先ず、軟弱地盤Ｇにあって水路１Ａを敷設するその基礎部にプレキャストモルタル製の軽量の沈下防止基礎ブロック１５，１５を水路延長方向に連続して並べる。
【００２６】
水路延長方向に連続して並べた前記沈下防止基礎ブロック１５，１５の上に前記水路ブロック１，１をその底壁部３を載せて連続して並べる。つぎに、並べた水路ブロック１，１を水路延長方向に所定長さＬ（図２に示す例では水路ブロック３個分の長さ）で複数の区間に分け、各区間（Ｌ）内の水路ブロック（１ｂ，１ｃ，１ｄ）は、図４に示す止水性の弾性変形可能な継手６により、各区間（Ｌ）の端部の水路ブロック（１ａと１ｂ、１ｄと１ｅ）は、図５に示す止水性の可撓性継手９によってそれぞれ連結する。
【００２７】
このようにして、連続して並べた水路ブロック１，１を止水性の弾性変形可能な継手６及び可撓性継手９によってそれぞれ連結した後、前記水路ブロック１，１の左右の外側にプレキャストコンクリート製の逆さＬ字型の固定材１２，１２を、その垂下部１２Ｂ，１２Ｂの上部でボルト１３締めによって固定する。
【００２８】
これにより、軟弱地盤Ｇの上に直接設置した前記軽量の沈下防止基礎ブロック１５の左右（水路延長方向）両側面１５Ｂは、前記逆さＬ字型の固定材１２，１２の両垂下部１２Ｂ，１２Ｂ間にあってその内側面と面接して左右方向から抱持されると同時に、前記沈下防止基礎ブロック１５の天面１５Ａは水路ブロック１，１の底壁部３下面と面接し、水路１Ａと沈下防止基礎ブロック１５との一体化が図られる。
【００２９】
上記のような構造とすることで、軟弱地盤Ｇ上に設置した重量の重いプレキャストコンクリート製水路ブロック１，１の荷重軽減をはかることができるとゝもに、地盤変位を軽減し、かつ水路ブロック１，１を複数含む一定間隔Ｌで地盤の大きな変位を合理的に吸収することができる。また、前記沈下防止基礎ブロック１５を水路ブロック１と一体化したことで、現場の諸条件に合わせて前記沈下防止基礎ブロック１５の浮力を効率よく受けるようにすることができ、水路が安定することになる。
【００３０】
図６及び図７は本考案の第２実施例で、１６は本実施例で使用するコンクリート製の水路ブロック構成材である。すなわち、この水路ブロック構成材１６は側壁部１７と底版部１８とからなるＬ字型のものであり、１９は前記底版部１８の先端面から突出する突き出し筋である。なお、図中２１は前記水路ブロック構成材１６の接続部端面２０に装着した目地シール、２２は水平部２１Ａと垂下部２１Ｂからなる逆さＬ字型の固定材である。
【００３１】
上記のようなＬ字型の水路ブロック構成材１６，１６を、図６に示すように、左右（水路幅方向）に一対、前記底版部１８，１８を突き合わせて配設し、前記水路ブロック構成材１６，１６の側壁部外側に前記プレキャストコンクリート製の固定材２２，２２を、上記第１実施例の場合と同様に、その垂下部２１Ｂ，２１Ｂの上部でボルト１３締めによってそれぞれ固定する。
【００３２】
固定材２２，２２をそれぞれ外側に固定した左右一対の水路ブロック構成材１６，１６を、図７に示すように、軟弱地盤Ｇに予め造成した水路延長方向の凹部内に配設する。つぎに、軟弱地盤Ｇの凹部に配設した前記左右一対の水路ブロック構成材１６，１６にあって、それぞれの底版部１８，１８の突き合わせ部の間から現場打ちによる軽量モルタルを打設し、前記底版部１８，１８と前記固定材２２，２２の垂下部２１Ｂ，２１Ｂとによって囲まれた凹部空間に沈下防止基礎版２３を形成する。
【００３３】
つぎに、前記左右一対の水路ブロック構成材１６，１６の前記底版部１８，１８の間に現場打ちコンクリートを打設し、前記底版部１８，１８の先端から突出する突き出し筋１９を内部に有する底壁部２４を前記両水路ブロック構成材１６，１６と一体に形成し、全体としてＵ字型の水路ブロック１６Ａが形成される。これにより、前記沈下防止基礎版２３は、その上に現場打ちコンクリートで形成したＵ字型水路ブロック１６Ａの前記底壁部２４に固定され、前記水路ブロック１６Ａと前記固定材２２，２２及び前記沈下防止基礎版２３は一体化された構造となる。
【００３４】
このようにして、連続して並べた水路ブロック１６Ａ，１６Ａを水路延長方向に複数区間に分け、前記第１実施例の場合と同じ方法により、各区間内の水路ブロック１６Ａ，１６Ａ間は止水性の弾性変形可能な継手６により、各区間の端部の前記水路ブロック１６Ａ，１６Ａ間は止水性の可撓性継手９によってそれぞれ連結することで、軟弱地盤Ｇ上に水路１Ａを構築することができる。
【符号の説明】
【００３５】
１  Ｕ字型の水路ブロック
２・１７  側壁部
３・２４  底壁部
４・２０  接続部端面
５・２１  目地シール
６  弾性変形可能な継手
９  可撓性継手
９Ａ  側端縁
１２・２２  固定材
１２Ａ・２１Ａ  水平部
１２Ｂ・２１Ｂ  垂下部
１５  沈下防止基礎ブロック
１５Ａ  天面
１５Ｂ  側面
１６  水路ブロック構成材
１８  底版部
１９  突き出し筋
２３  沈下防止基礎版
２４  底壁部
【図１】
0003189812.tif 000003
【図２】
0003189812.tif 000004
【図３】
0003189812.tif 000005
【図４】
0003189812.tif 000006
【図５】
0003189812.tif 000007
【図６】
0003189812.tif 000008
【図７】
0003189812.tif 000009